(57)【要約】【課題】装置に内臓する吸引ファンを利用した、装置本体に着脱可能とする集塵機を用いて装置周囲の清掃を可能とする、コストダウンおよび作業性を向上させた籾摺選別装置を提供する。【解決手段】脱ぷした穀粒を吸引ファン１３により風選する風選部１２を備え、吸引ファン１３を、機体周囲を集塵するための集塵機３１の駆動源に用いる。そして、吸引ファン１３の上部の機体側壁に吸引口３４を設けるとともに、吸引口３４に集塵機３１を接続し、風選部１２の風力調節を行うための、二次空気取入口３０に設けた調節弁３８を回動させるとともに、二次空気取入口３０および風選部１２の風路終端側を閉鎖して、集塵機３１を駆動する。【選択図】図５
2009095694.tif 000002
【特許請求の範囲】
【請求項１】
脱ぷした穀粒を吸引ファンにより風選する風選部を備える籾摺選別装置において、
前記吸引ファンを、機体周囲を集塵するための集塵機の駆動源に用いることを特徴とする籾摺選別装置。
【請求項２】
前記吸引ファンの上部の機体側壁に吸引口を設けるとともに、前記吸引口に集塵機を接続することを特徴とする、請求項１に記載の籾摺選別装置。
【請求項３】
前記風選部の風力調節を行うための、二次空気取入口に設けた調節弁を回動させるとともに、前記二次空気取入口および前記風選部の風選路終端側を閉鎖して、前記集塵機を駆動することを特徴とする、請求項１に記載の籾摺選別装置。
【発明の詳細な説明】
【技術分野】
【０００１】
本発明は、脱ぷした穀粒を吸引ファンにより風選する風選部を備える籾摺選別装置に関し、より詳細には、吸引ファンを、機体周囲を集塵するための集塵機の駆動源に用いることに関する。
【背景技術】
【０００２】
従来の籾摺選別装置には、籾ホッパから供給された穀粒が、籾摺部の籾摺ロールで脱ぷ処理されて、例えば、籾殻や粃、籾を含む玄米などの混合米などになり、次いで風選部において、装置前部に備える吸引ファンの気流で、それら脱ぷ処理された各処理物の重さの違いにより選別し、最も軽い籾殻を吸引して籾殻排出筒を介して機外に排出させるものがある。（例えば特許文献１）
【０００３】
【特許文献１】特許出願２００６−２４７２１号公報
【発明の開示】
【発明が解決しようとする課題】
【０００４】
しかし、このような従来の籾摺選別装置では、装置内に吸引力を有する吸引ファンを内臓しているにも係らず、装置周囲の環境を整えて作業環境を向上させるため、装置周囲の塵や埃を清掃する際、別途、駆動源である電源に接続した掃除機などを用いて集塵をしていたため、この電源が装置の近くにないときには、別途電源を設けたり、延長コードなどを用いてわざわざ遠くの電源を使用しなければならないほか、装置周囲の清掃のための掃除機を別途準備しなければならず、作業性が悪いとともに、無駄な機材の使用によるコストアップを生じる問題があった。
そこで、この発明の目的は、装置に内臓する吸引ファンを利用した、装置本体に着脱可能とする集塵機を用いて装置周囲の清掃を可能とする、コストダウンおよび作業性を向上させた籾摺選別装置を提供することにある。
【課題を解決するための手段】
【０００５】
このため、請求項１に記載の発明は、脱ぷした穀粒を吸引ファンにより風選する風選部を備える籾摺選別装置において、前記吸引ファンを、機体周囲を集塵するための集塵機の駆動源に用いることを特徴とする。
【０００６】
請求項２に記載の発明は、前記吸引ファンの上部の機体側壁に吸引口を設けるとともに、前記吸引口に集塵機を接続することを特徴とする。
【０００７】
請求項３に記載の発明は、前記風選部の風力調節を行うための、二次空気取入口に設けた調節弁を回動させるとともに、前記二次空気取入口および前記風選部の風路終端側を閉鎖して、前記集塵機を駆動することを特徴とする。
【発明の効果】
【０００８】
請求項１に記載の発明によれば、脱ぷした穀粒を吸引ファンにより風選する風選部を備える籾摺選別装置において、吸引ファンを、機体周囲を集塵するための集塵機の駆動源に用いるので、装置周囲を集塵清掃する際、集塵機を駆動させる駆動源を、別途設けたり、遠くの駆動源から延設する必要がなく、装置に備える吸引ファンを用いて容易に集塵清掃することができる。従って、コストダウンを図るとともに、作業性を向上させた籾摺選別装置を提供することができる。
【０００９】
請求項２に記載の発明によれば、吸引ファンの上部の機体側壁に吸引口を設けるとともに、吸引口に集塵機を接続するので、装置に内臓される吸引ファンの近傍に設けられた接続口に集塵機のホースを接続することで、装置に備える吸引ファンを利用して容易に装置周囲を集塵清掃することができる。従って、コストダウンを図るとともに、作業性を向上させた籾摺選別装置を提供することができる。
【００１０】
請求項３に記載の発明によれば、風選部の風力調節を行うための、二次空気取入口に設けた調節弁を回動させるとともに、二次空気取入口および風選部の風路終端側を閉鎖して、集塵機を駆動するので、風選部側からの空気吸入量を調節して、吸引ファンによる集塵機での吸引力を強くし、装置周囲を効率的に集塵清掃することができる。従って、コストダウンを図るとともに、作業性を向上させた籾摺選別装置を提供することができる。
【発明を実施するための最良の形態】
【００１１】
以下図面を参照しつつ本発明を実施するための最良の形態について説明する。
図１は、この発明の一例としての籾摺選別装置の右側面図、図２は籾摺選別装置の平面図、図３は籾摺選別装置の背面図、図４は籾摺選別装置内部の側面模式図である。
【００１２】
この例の籾摺選別装置１は、図１〜図３に示すように、機体上部中央に籾ホッパ２と、この籾ホッパ２の側面視背面には、混合米揚穀機３と混合米タンク４が連設される。さらに機体前端には、籾殻排出筒５および機体後端に玄米揚穀機６が備えられ、玄米揚穀機６の上部後端に仕上米出口９が設けられている。また、機体下部には粃還元装置７と籾還元スロワ１６とが連設される。
【００１３】
そして、図４に示すように、主軸１１ａと副軸１１ｂとからなる籾摺ロール１１ｃを有する籾摺部１１の下方には、籾摺ロール１１ｃで籾摺され、得られた粃や玄米などの混合米（混合穀粒）が通過する風選路１２ａを有する風選部１２が配設される。この籾摺ロール１１ｃ下方であって、風選路１２ａ終端部の前方（側面視左端）には、混合米に吸引作用する吸引ファン１３、この吸引ファン１３の後部（側面視右隣）であって、籾摺ロール１１ｃの下方には、風選路１２ａから混合米中の小米を含む粃（中間穀粒）が落下する粃排出樋１４、さらに粃排出樋１４の後部には、混合米中の籾や玄米（選別穀粒）が落下する混合米受樋１５などが列設される。
【００１４】
混合米受樋１５に落下した籾や玄米を搬送する図示しない螺旋の搬送終端側は、側面視機体背面側に立設され、複数のバケット３ａを備える混合米揚穀機３に連通し、この混合米揚穀機３の揚穀終端側は混合米タンク４に連通されている。
【００１５】
さらに、混合米タンク４の下方には混合米を搬送する均分樋１７を有し、この均分樋１７の下方には揺動選別部１８が備えられる。この揺動選別部１８は、均分樋１７の搬送終端側に複数の流路からなる分配ケース１８ａと、分配ケース１８ａの側方に有し、多段からなる揺動選別板１８ｂと、揺動選別板１８ｂの前部および中央部にそれぞれ配設される籾仕切板１８ｃ、玄米仕切板１８ｄなどから構成される。
【００１６】
揺動選別部１８の下方には、選別部１８の前部から順に籾用流路１９、混合米用流路２０、玄米用流路２１がそれぞれ配設される。そして、籾用流路１９の終端に有する返り籾入口部１６ａが、返り籾出口部１６ｂを介して側面視手前に備えられる図１に示す籾還元スロワ１６に連通され、この籾還元スロワ１６の上部は、籾摺部１１に連通される。また、混合米用流路２０と玄米用流路２１の間には玄米の機内循環と機外排出とを切り替える切替弁２２が設けられる。そして、機体後端には玄米用流路２１が下部に連設され、複数のバケット６ａを備える玄米揚穀機６が立設される。
【００１７】
なお、符号２３は、籾摺選別装置１を運転操作する操作盤で、装置各部を駆動制御する不図示のコントローラが内臓されている。
【００１８】
ここで、籾摺選別装置１を使用して籾摺作業を行うときは、籾ホッパ２に籾（原料穀粒）を供給し、操作盤２３の図示しないスイッチにより機体各部を駆動させ、籾ホッパ２底部に有する不図示のシャッタ板を開いて、籾摺ロール１１ｃに供給された籾が籾摺された後、落下した混合米は風選路１２ａで風選され、最も軽い籾殻は吸引ファン１３により吸引され、籾殻排出筒５を介して機外に排出される。
【００１９】
また、上記風選路１２ａで風選された比較的軽い粃（小米を含む）は、粃出口１４から排出され、粃還元装置７内に流入する。粃還元装置７は、風選路１２ａに有する粃排出樋１４に連通される粃出口１４ａから風選部１２を背面に有する風選部枠８に沿って籾還元スロワ１６の背面に有する選別部１８からの返り籾入口部１６ａに向って斜設される。また、粃還元装置７下端部には駆動モータ２４が備えられており、この駆動モータ２４により粃還元装置７の胴部筒内に有する螺旋７ａが、粃出口１４ａと返り籾入口部１６ａとの間で駆動される。そして、粃出口１４ａから粃還元装置７内に流入した粃は、螺旋７ａにより返り籾入口部１６ａまで搬送される。一方、重量の重い玄米と籾摺を損ねた籾との混合米は受樋１５に落下し、混合米揚穀機３で揚穀されて混合米タンク４に供給された後、均分樋１７および分配ケース１８ａを介して揺動選別板１８ｂに供給される。
【００２０】
混合米は、揺動選別板１８ｂでの揺動により、小さく比重の重い玄米は揺上側に、また玄米よりも大きく比重の軽い籾は揺下側に、さらに中間部分には分離されない籾と玄米との混合米がそれぞれ偏流分布しながら選別される。
【００２１】
揺動選別板１８ｂで選別された玄米などの穀粒は、籾仕切板１８ｃと玄米仕切板１８ｄで仕切られ、揺動選別板１８ｂより排出される。このとき、切替弁２２は揺動選別板１８ｂ上での穀粒の偏流分布が不安定な際、混合米用流路２０と玄米用流路２１との間を連通させて、混合米と玄米を再度受樋１５に流入させるようにするが、揺動選別板１８ｂ上での穀粒の偏流分布が安定すると、混合米用流路２０と玄米用流路２１との間を遮断させるように切り替えられる。
【００２２】
その結果、混合米が混合米用流路２０に落下し、受樋１５を介して再度選別部１８に搬送され、玄米は玄米用流路２１から玄米揚穀機２３を介して機外に取り出される。また、返り籾（返り穀粒）は籾用流路１９から流入した返り籾入口部１６ａで、前述した粃搬送装置７によって搬送されてきた粃と合流し、これら籾および籾は、返り籾出口部１６ｂから籾還元スロワ１６を介して籾摺部１１に還元され、再度籾摺される。
【００２３】
次に、本願発明の特徴である集塵機について、その具体的構成を説明する。図５は集塵機を備える籾摺選別装置を上方から見た斜視図、図６は吸引口および二次空気取入口を示した籾摺選別装置の前部を左側面方向から見た斜視図、図７は調節弁を示す吸引口付近の左側面模式図である。
【００２４】
図５に示すように、籾摺選別装置１の前部であって、左側面の外側壁には、例えば、プラスチックなどの樹脂からなる集塵機３１が籾摺選別装置１から着脱自在に接続される。この集塵機３１は、先端部に有する吸引ヘッド３２およびホース３３から構成され、ホース３３の後端部が、装置の外側壁に設けられた吸引口３４に着脱自在に接続される。
【００２５】
なお、吸引ヘッド３２をホース３３に着脱自在に設ける構成にしてもよい。また、集塵機３１の材質は上記に限定されず、ホース３３は、遊動自在、かつ伸縮可能な蛇腹構造（限定されない）などで構成される。
【００２６】
また、図６に示すように、吸引ファン１３の上方近傍であって、籾摺選別装置１下部の左側面における側板上端に設けられた、吸引ファン１３を覆設するカバー板４０の側板４１には、ホルダー３５を介して装置内部と連通した、例えば円筒形などの吸引口３４が突設される。また、ホルダー３５内には、吸引口３４を開口または閉鎖させるためのシャッター板３６が、上下に摺動自在に設けられる。なお、吸引ファン１３の形状は円筒形に限定されず、ホース３３の形状に合わせることが好ましい。
【００２７】
この吸引口３４と、ホース３３との着脱可能な接続方法は、周知技術であり、限定されるものではなく、また詳細な説明は省略するが、例えば、吸引口３４の外周部（内周部でもよい）に設けられた図示しない螺旋溝と、ホース３３基端部内周部（外周部でもよい）に設けられた図示しない螺旋溝とを嵌合させて吸引口３４と、ホース３３とを着脱可能に接続したり、あるいは、吸引口３４側面に、押圧の有無により弾性体などの作用で吸引口３４側面から出入りする複数の図示しない突起部と、ホース３３側面に前記突起部と同間隔かつ同数の図示しない切欠部、または、ホース３３の側面に複数の前記突起部と、吸引口３４側面に前記突起部と同間隔かつ同数の前記切欠部を設け、それら前記突起部を前記切欠部に掛合させることにより吸引口３４と、ホース３３とを着脱可能に接続してもよい。
【００２８】
次に、図６に示すように、吸引口３４近傍であって、籾摺選別装置１下部における、カバー板４０の後端斜設部４２の装置左右方向には、籾摺選別装置１の左右幅に略等しく、かつ前後方向に短い二次空気取入口３０が設けられる。また、二次空気取入口３０の内部であって、カバー板４０の側板４１上部には、回動軸３７が貫設されるとともに、側板面における回動軸３７の端部には、例えば回動式のスイッチノブやダイヤルなどの調節弁３８が取付けられる。
【００２９】
この回動軸３７には、二次空気取入口３０の左右方向全幅に略等しい長さの調節羽根３９の上端部が取り付けられる。調節羽根３９は、上部３９ａが斜設部４２を内側から覆い、二次空気取入口３０を遮断可能な面積を有するとともに、下部３９ｂは、上部３９ａが二次空気取入口３０から離間したときに、二次空気取入口３０から取り込んだ空気を、吸引ファン１３にガイドし易くするために中途部から装置前方へ向けて屈曲した構成とされる。
【００３０】
ここで、籾摺選別装置１周囲の集塵清掃をする際には、籾摺選別装置１が停止中であれば駆動させるとともに、籾摺選別装置１が稼動中であれば、まず、図４および図６に示すように、風選部１２の風選路１２ａの終端側に有する風選路シャッター４３を例えばツマミ４３ａなどで回動させて風選路１２ａを閉鎖して、装置後方から吸引ファン１３へ吸引される気流を遮断する。
【００３１】
次いで、調節弁３８を所定位置（例えば集塵モード）に回動させて、調節羽根３９を位置ｃに回動させる。これにより、調節羽根３９の下端部が、風選路１２ａ上に有する部材４４と接触するため、二次空気取入口３０から吸引ファン１３へ吸引される気流および吸引ファン１３に連通する風選路１２ａを完全に遮断する。なお、風選部１２において、通常の風力で風選処理を行う場合には、調節弁３８を所定位置（例えば通常風選モード）に回動させて、通常調節羽根３９の上部３９ａで二次空気取入口３０を覆い、二次空気取入口３０から吸引ファン１３へ吸引される気流を遮断する。また、処理粒の量や処理状態により通常よりも弱い風力で風選処理を行う場合には、調節弁３８を所定位置（例えば弱風選モード）に回動させて、調節羽根３９を位置ｂに回動させ、風選路１２ａ以外にも空気を二次空気取入口３０から吸引ファン１３へ取り込むことで、風選路１２ａ内の風を弱める構成とされる。
【００３２】
なお、調節弁３８のモード名およびモード数は上記に限定されず、適宜設定することができる。
【００３３】
集塵機３１は、通常、ホース３３を介して吸引口３４に接続したままの状態でもよいが、取り外している場合には、上述したような方法でホース３３を吸引口３４に接続し、集塵機３１が機体に装着される。そして、ホルダー３５内のシャッター板３６を摺動させて、吸引口３４を開口し、吸引ファン１３の吸引力により吸引ヘッド３２から籾摺選別装置１周囲の塵や埃を集塵する。この結果、吸引ヘッド３２に吸い込まれた塵芥などは、ホース３３および籾殻排出筒５を介して機外に排出される。このとき、吸引ヘッド３２を取り外して、ホース３３の先端部で塵芥を集塵してもよい。
【００３４】
なお、図１〜６では、籾殻排出筒５のみ（図５〜６では籾殻排出筒５の中途部まで）図示しているが、籾殻や塵芥排出用の図示しない延長筒を籾殻排出筒５の先端部に別途接続して、籾殻や塵芥を、装置のオペレータや装置周囲の作業者から遠く離れた作業者のいない場所に放出もしくは、延長筒先端部に装着した図示しない収納袋内などに収納させるなどすることが好ましい。
【００３５】
また、シャッター板３６の摺動による吸引口３４の開閉方法は、特に限定されるものではないが、例えば、集塵機３１を駆動させる際にホルダー３５から抜き取り、吸引口３４を開口するとともに、集塵機３１を停止させる際には、ホルダー３５に差し込んで吸引口３４を閉鎖する構成や、ホルダー３５内において定位置に摺動させた後、不図示のストッパーにより固定し、吸引口３４を開閉させる構成などにしてもよい。
【００３６】
そして、集塵機３１を停止させる際には、ホルダー３５内でシャッター板３６を摺動させて吸引口３４を閉鎖するとともに、籾摺選別装置１の電源を切るか、または選別作業を再開する場合には、調節弁３８を開閉方向に回動させ、さらに風選路シャッター４３を回動させて風選路１２ａを閉鎖して、二次空気取入口３０および装置後方から風選路１２ａを介してそれぞれ空気を吸引ファン１３へ向けて取り込み、選別作業がなされる。
【００３７】
以上の構成にすることで、装置周囲を集塵清掃する際、集塵機３１を駆動させる駆動源を、別途設けたり、遠くの駆動源から延設する必要がなく、装置に備える吸引ファン１３を用いて容易に集塵清掃することができる。また、風選部１２側からの空気吸入量を調節して、吸引ファン１３による集塵機３１での吸引力を強くし、装置周囲を効率的に集塵清掃することができる。さらには、集塵機３１を装置本体から着脱可能に設けられるため、必要時に集塵機３１を装置本体に取付けることで、装置のコンパクト化を図ることができる。
【００３８】
以上詳述したように、この例の籾摺選別装置１は、脱ぷした穀粒を吸引ファン１３により風選する風選部１２を備え、吸引ファン１３を、機体周囲を集塵するための集塵機３１の駆動源に用いるものである。加えて、吸引ファン１３の上部の機体側壁に吸引口３４を設けるとともに、吸引口３４に集塵機３１を接続し、風選部１２の風力調節を行うための、二次空気取入口３０に設けた調節弁３８を回動させるとともに、二次空気取入口３０および風選部１２の風路終端側を閉鎖して、集塵機３１を駆動する。
【図面の簡単な説明】
【００３９】
【図１】本発明の籾摺選別装置の一例を示す側面図である。
【図２】籾摺選別装置の平面図である。
【図３】籾摺選別装置の背面図である。
【図４】籾摺選別装置の内部構造を示す側面模式図である。
【図５】集塵機を備える籾摺選別装置を上方から見た斜視図である。
【図６】吸引口および二次空気取入口を示した籾摺選別装置の前部を左側面方向から見た斜視図である。
【図７】調節弁を示す吸引口付近の左側面模式図である。
【符号の説明】
【００４０】
１    籾摺選別装置
５    籾殻排出筒
１２    風選部
１３    吸引ファン
３０    二次空気取入口
３１    集塵機
３２    吸引ヘッド
３３    ホース
３４    吸引口
３５    ホルダー
３６    シャッター板
３７    回動軸
３８    調節弁
３９    調節羽根
３９ａ    上部
３９ｂ    下部
４０    カバー板
４１    側板
４２    斜設部
４３    風選路シャッター
４３ａ    ツマミ
ａ，ｂ，ｃ    位置
【図１】
2009095694.tif 000003
【図２】
2009095694.tif 000004
【図３】
2009095694.tif 000005
【図４】
2009095694.tif 000006
【図５】
2009095694.tif 000007
【図６】
2009095694.tif 000008
【図７】
2009095694.tif 000009